(57)【要約】【課題】利便性を向上できる空気調和機を提供することを目的とする。【解決手段】吸込口４及び吹出口５を開口する筐体２と、吸込口４と吹出口５とを連通させる空気通路６と、空気通路６内に配される送風機７と、空気通路６内に配される熱交換器８と、空気通路６に流入する空気に含まれる塵埃を捕集するフィルタ１１と、フィルタ１１に付着した塵埃を除去する除塵部と、筐体２に対して着脱可能に設けられるとともに除塵部によりフィルタ１１から除去された塵埃を集塵する集塵部２０とを備えた空気調和機１において、集塵部２０は、筐体２の前面下部に配して塵埃を溜める容器部２２と、使用者の把持により変位する把持部２４と、把持部２４に連結して筐体２に係合するレバー部材２５とを有し、把持部２４を把持した際にレバー部材２５と筐体２との係合が解除されるとともに、把持部２４を把持した状態で集塵部２０が着脱される。【選択図】図５
2015163826.tif 000002
【特許請求の範囲】
【請求項１】
吸込口及び吹出口を開口する筐体と、前記吸込口と前記吹出口とを連通させる空気通路と、前記空気通路内に配される送風機と、前記空気通路内に配される熱交換器と、前記空気通路に流入する空気に含まれる塵埃を捕集するフィルタと、前記フィルタに付着した塵埃を除去する除塵部と、前記筐体に対して着脱可能に設けられるとともに前記除塵部により前記フィルタから除去された塵埃を集塵する集塵部とを備えた空気調和機において、
前記集塵部は、前記筐体の前面下部に配して塵埃を溜める容器部と、使用者の把持により変位する把持部と、前記把持部に連結して前記筐体に係合するレバー部材とを有し、
前記把持部を把持した際に前記レバー部材と前記筐体との係合が解除されるとともに、前記把持部を把持した状態で前記集塵部が着脱されることを特徴とする空気調和機。
【請求項２】
前記容器部が左右方向に延びて設けられるとともに、前記把持部を前記容器部の左右方向の中央部に配して前記レバー部材を前記容器部の側面上に配し、前記把持部の側方に延びた連結部材を介して前記把持部と前記レバー部材とを連結したことを特徴とする請求項１に記載の空気調和機。
【請求項３】
前記連結部材は、前記把持部と一体に形成して前記把持部の両側方に延びるとともに端部が前記容器部の側面に軸支される棒状部と、前記棒状部の前記端部から上方または下方に延びる第１アーム部とを有し、前記容器部の側面に軸支した前記レバー部材が第１アーム部に係合する第２アーム部を有することを特徴とする請求項２に記載の空気調和機。
【請求項４】
前記連結部材の材質が前記容器部の側面及び第２アーム部の材質と異なることを特徴とする請求項３に記載の空気調和機。
【請求項５】
前記把持部の色が前記容器部の前面の色と異なることを特徴とする請求項１〜請求項４のいずれかに記載の空気調和機。
【請求項６】
前記レバー部材を前記集塵部の上部に配し、前記筐体に設けられた係止部に係合する係合部を前記集塵部の底面に設けたことを特徴とする請求項１〜請求項５のいずれかに記載の空気調和機。
【請求項７】
吸込口及び吹出口を開口する筐体と、前記吸込口と前記吹出口とを連通させる空気通路と、前記空気通路内に配される送風機と、前記空気通路内に配される熱交換器と、前記空気通路に流入する空気に含まれる塵埃を捕集するフィルタと、前記フィルタに対して相対移動して前記フィルタに付着した塵埃を除去する除塵部と、前記筐体に対して着脱可能に設けられるとともに前記除塵部により前記フィルタから除去された塵埃を集塵する集塵部とを備えた空気調和機において、
前記除塵部は、前記フィルタの吸気面に摺動する除塵体と、前記除塵体に対向して前記フィルタの排気面に当接する当接部とを有し、前記除塵部を前記フィルタ上に配して前記フィルタを除塵する第１清掃モードと、前記フィルタ及び前記除塵部の一方を他方から退避して前記除塵体により前記当接部を清掃する第２清掃モードとを設けたことを特徴とする空気調和機。
【請求項８】
前記フィルタが前記筐体の左右方向に延びて配されるとともに、前記除塵体及び前記当接部が前記筐体の下部に支持された左右方向に延びる回転体から成り、第１清掃モード時に前記除塵体及び前記当接部を回転させて前記フィルタが前記除塵体と前記当接部との間をスライド移動するとともに、第２清掃モード時に前記フィルタを停止して前記除塵体及び前記当接部を回転させることを特徴とする請求項７に記載の空気調和機。
【請求項９】
第１清掃モードの実行頻度が所定頻度を超えた場合に第２清掃モードを行うことを特徴とする請求項７または請求項８に記載の空気調和機。
【請求項１０】
吸込口及び吹出口を開口する筐体と、前記吸込口と前記吹出口とを連通させる空気通路と、前記空気通路内に配される送風機と、前記空気通路内に配される熱交換器と、前記空気通路に流入する空気に含まれる塵埃を捕集するフィルタと、前記フィルタを介さずに前記フィルタの上流側と下流側とを連通させる第１バイパス通路と、第１バイパス通路に配して前記フィルタの上流側と下流側との間の差圧が所定値以上になると開く第１開閉弁と、第１開閉弁の開放を検知する第１検知部とを備えたことを特徴とする空気調和機。
【請求項１１】
第１バイパス通路の流路を絞る第１流路抵抗を第１開閉弁の下流に設けることを特徴とする請求項１０に記載の空気調和機。
【請求項１２】
前記熱交換器を介さずに前記熱交換器の上流側と下流側とを連通させる第２バイパス通路と、第２バイパス通路に配して前記熱交換器の上流側と下流側との間の差圧が所定値以上になると開く第２開閉弁と、第２開閉弁の開放を検知する第２検知部とを備えたことを特徴とする請求項１０または請求項１１に記載の空気調和機。
【請求項１３】
第２バイパス通路の流路を絞る第２流路抵抗を第２開閉弁の下流に設けることを特徴とする請求項１２に記載の空気調和機。
【請求項１４】
吸込口及び吹出口を開口する筐体と、前記吸込口と前記吹出口とを連通させる空気通路と、前記空気通路内に配される送風機と、前記空気通路内に配される熱交換器と、前記空気通路に流入する空気に含まれる塵埃を捕集するとともに着脱可能なフィルタとを備えた空気調和機において、
前記フィルタの取り外し時に前記フィルタから脱落する塵埃を回収する袋状部材を保持可能な保持部を前記フィルタの近傍に設けたことを特徴とする空気調和機。
【請求項１５】
前記フィルタが前記筐体の前面に配されるとともに、前記保持部が前記筐体上の前記フィルタの両側方に配して前記袋状部材を掛けるフックから成り、前記筐体上の前記フィルタよりも下方に配して前記袋状部材の前記筐体に対する離隔を規制する規制部を設けたことを特徴とする請求項１４に記載の空気調和機。
【請求項１６】
前記フィルタが前記筐体の前面に配されるとともに、前記保持部が前記筐体の前面に沿って収納される位置と前記筐体の前方へ突出して前記袋状部材を保持する位置との間を回動可能に形成されることを特徴とする請求項１４または請求項１５に記載の空気調和機。
【請求項１７】
前記保持部は環状の枠体と、前記枠体に可動に支持されるとともに前記枠体に内嵌する位置に配置可能な可動部とを有し、前記枠体に掛止した前記袋状部材の周部を前記枠体及び前記可動部によって挟持することを特徴とする請求項１６に記載の空気調和機。
【請求項１８】
前記フィルタを除塵する除塵部と、前記筐体に対して着脱可能に設けられるとともに前記除塵部により前記フィルタから除去された塵埃を集塵する集塵部とを備え、前記保持部に保持された前記袋状部材によって前記集塵部の取り外し時に前記集塵部から脱落する塵埃を回収することを特徴とする請求項１４〜請求項１７のいずれかに記載の空気調和機。
【発明の詳細な説明】
【技術分野】
【０００１】
本発明は、空気中の塵埃を捕集するフィルタを備えた空気調和機に関する。
【背景技術】
【０００２】
空気中の塵埃を捕集するフィルタを備えた空気調和機は特許文献１〜３に開示される。特許文献１に開示される空気調和機は吸込口及び吹出口を開口した筐体を備え、吸込口と吹出口とを連通させる空気通路が筐体内に形成される。空気通路には送風機及び熱交換器が配される。送風機の駆動によって吸込口から室内の空気が空気通路に流入し、熱交換器と熱交換した空気が吹出口から室内に送出される。吸込口には空気通路に流入する空気中に含まれる塵埃を捕集するフィルタが配される。
【０００３】
また、筐体内にはフィルタを清掃するフィルタ清掃装置が設けられる。フィルタ清掃装置はフィルタを移動させ、フィルタの吸気面に摺動する第１回転ブラシによりフィルタ上の塵埃を除去する。フィルタから除去された塵埃は筐体に対して着脱可能な集塵部に集塵される。集塵部は左端部から左方へ突出する第１突出部及び右端部から右方へ突出する第２突出部を有する。第１突出部は集塵部に固設されるとともに、第２突出部は付勢部材により右方に突出する方向に付勢される。筐体には第１突出部の先端部及び第２突出部の先端部が嵌合する第１孔部及び第２孔部がそれぞれ設けられる。
【０００４】
上記構成の空気調和機において、使用者が第２突出部の先端部を付勢力に抗して左方（集塵部側）に押すと第２突出部が第２孔部から抜ける。そして、集塵部の第２突出部側の端部を手前に引いた後に第１突出部を第１孔部から抜くと集塵部は筐体から取り外される。これにより、集塵部に集塵された塵埃を廃棄することができる。
【０００５】
特許文献２に開示される空気調和機は、特許文献１に開示される空気調和機と同様なフィルタ清掃装置にさらに第２回転ブラシを備える。第２回転ブラシは第１回転ブラシに近接対向してフィルタの排気面に当接し、フィルタを移動させるモータにより回転する。この時、第２回転ブラシはフィルタの移動速度と同じ周速で回転し、第１回転ブラシによりフィルタの吸気面上から排気面側へ押し出される塵埃を吸気面側に押し戻す。これにより、フィルタ上の塵埃を確実に除去することができる。
【０００６】
特許文献３に開示される空気調和機は特許文献１、２に開示される空気調和機と同様に送風機及び熱交換器を配した空気通路を筐体内に備え、吸込口には筐体に対して着脱可能なフィルタが配される。空気通路にはフィルタと送風機との間から分岐して筐体外部に連通する連通路が設けられる。連通路には笛部が設けられる。
【０００７】
塵埃によりフィルタが目詰まりすると、フィルタと送風機との間の空気通路内の圧力と筐体外部の圧力との差（差圧）が大きくなる。これにより、筐体外部から連通路に流入する空気の風量が多くなり、笛部から警告音が発生する。したがって、塵埃によるフィルタの目詰まりを容易に検知して報知することができる。
【先行技術文献】
【特許文献】
【０００８】
【特許文献１】特開２０１０−１９７０１４号公報（第５−７頁、第９図）
【特許文献２】特開２０１０−２４９３５８号公報（第６頁、第７頁、第５図、第７図）
【特許文献３】実開昭５９−１１３１３０号（第３頁、第４頁、図）
【発明の概要】
【発明が解決しようとする課題】
【０００９】
上記特許文献１に開示された空気調和機によると、筐体から集塵部を取り外す際に使用者は一方の手指で集塵部を支持した上で、他方の手指で第２突出部を押して第２孔部から抜く。このため、筐体から集塵部を取り外す際に両手が塞がるとともに手間がかかり、空気調和機の利便性が低下する問題があった。
【００１０】
また、特許文献２に開示された空気調和機によると、第２回転ブラシに付着した塵埃がフィルタに再付着し、フィルタの清掃が不十分になる問題があった。
【００１１】
また、特許文献３に開示された空気調和機によると、フィルタが目詰まりしていない際に、室内の空気がフィルタを介さずに空気通路に流入する場合がある。このため、塵埃による空気通路の汚染や熱交換器の目詰まりが生じ、空気調和能力が低下する問題があった。
【００１２】
また、特許文献１、２の集塵部や特許文献３のフィルタを筐体から取り外す際に、集塵部に集塵された塵埃やフィルタに付着した塵埃が居室内へ飛散したり、床面に落下したりするおそれがある。このため、空気調和機のメンテナンス性が低下する問題があった。
【００１３】
本発明は、利便性を向上できる空気調和機を提供することを目的とする。また本発明は、清掃性を向上できる空気調和機を提供することを目的とする。また本発明は、フィルタの目詰まりを容易に検知できるとともに空気調和能力を向上できる空気調和機を提供することを目的とする。また本発明は、メンテナンス性を向上できる空気調和機を提供することを目的とする。
【課題を解決するための手段】
【００１４】
上記目的を達成するために本発明は、吸込口及び吹出口を開口する筐体と、前記吸込口と前記吹出口とを連通させる空気通路と、前記空気通路内に配される送風機と、前記空気通路内に配される熱交換器と、前記空気通路に流入する空気に含まれる塵埃を捕集するフィルタと、前記フィルタに付着した塵埃を除去する除塵部と、前記筐体に対して着脱可能に設けられるとともに前記除塵部により前記フィルタから除去された塵埃を集塵する集塵部とを備えた空気調和機において、
前記集塵部は、前記筐体の前面下部に配して塵埃を溜める容器部と、使用者の把持により変位する把持部と、前記把持部に連結して前記筐体に係合するレバー部材とを有し、
前記把持部を把持した際に前記レバー部材と前記筐体との係合が解除されるとともに、前記把持部を把持した状態で前記集塵部が着脱されることを特徴としている。
【００１５】
また、本発明は上記構成の空気調和機において、前記容器部が左右方向に延びて設けられるとともに、前記把持部を前記容器部の左右方向の中央部に配して前記レバー部材を前記容器部の側面上に配し、前記把持部の側方に延びた連結部材を介して前記把持部と前記レバー部材とを連結すると好ましい。
【００１６】
また、本発明は上記構成の空気調和機において、前記連結部材は、前記把持部と一体に形成して前記把持部の両側方に延びるとともに端部が前記容器部の側面に軸支される棒状部と、前記棒状部の前記端部から上方または下方に延びる第１アーム部とを有し、前記容器部の側面に軸支した前記レバー部材が第１アーム部に係合する第２アーム部を有すると好ましい。
【００１７】
また、本発明は上記構成の空気調和機において、前記連結部材の材質が前記容器部の側面及び第２アーム部の材質と異なると好ましい。
【００１８】
また、本発明は上記構成の空気調和機において、前記把持部の色が前記容器部の前面の色と異なると好ましい。
【００１９】
また、本発明は上記構成の空気調和機において、前記レバー部材を前記集塵部の上部に配し、前記筐体に設けられた係止部に係合する係合部を前記集塵部の底面に設けると好ましい。
【００２０】
また本発明は、吸込口及び吹出口を開口する筐体と、前記吸込口と前記吹出口とを連通させる空気通路と、前記空気通路内に配される送風機と、前記空気通路内に配される熱交換器と、前記空気通路に流入する空気に含まれる塵埃を捕集するフィルタと、前記フィルタに対して相対移動して前記フィルタに付着した塵埃を除去する除塵部と、前記筐体に対して着脱可能に設けられるとともに前記除塵部により前記フィルタから除去された塵埃を集塵する集塵部とを備えた空気調和機において、
前記除塵部は、前記フィルタの吸気面に摺動する除塵体と、前記除塵体に対向して前記フィルタの排気面に当接する当接部とを有し、前記除塵部を前記フィルタ上に配して前記フィルタを除塵する第１清掃モードと、前記フィルタ及び前記除塵部の一方を他方から退避して前記除塵体により前記当接部を清掃する第２清掃モードとを設けたことを特徴としている。
【００２１】
また、本発明は上記構成の空気調和機において、前記フィルタが前記筐体の左右方向に延びて配されるとともに、前記除塵体及び前記当接部が前記筐体の下部に支持された左右方向に延びる回転体から成り、第１清掃モード時に前記除塵体及び前記当接部を回転させて前記フィルタが前記除塵体と前記当接部との間をスライド移動するとともに、第２清掃モード時に前記フィルタを停止して前記除塵体及び前記当接部を回転させると好ましい。
【００２２】
また、本発明は上記構成の空気調和機において、第１清掃モードの実行頻度が所定頻度を超えた場合に第２清掃モードを行うと好ましい。
【００２３】
また本発明は、吸込口及び吹出口を開口する筐体と、前記吸込口と前記吹出口とを連通させる空気通路と、前記空気通路内に配される送風機と、前記空気通路内に配される熱交換器と、前記空気通路に流入する空気に含まれる塵埃を捕集するフィルタと、前記フィルタを介さずに前記フィルタの上流側と下流側とを連通させる第１バイパス通路と、第１バイパス通路に配して前記フィルタの上流側と下流側との間の差圧が所定値以上になると開く第１開閉弁と、第１開閉弁の開放を検知する第１検知部とを備えたことを特徴としている。
【００２４】
また、本発明は上記構成の空気調和機において、第１バイパス通路の流路を絞る第１流路抵抗を第１開閉弁の下流に設けると好ましい。
【００２５】
また、本発明は上記構成の空気調和機において、前記熱交換器を介さずに前記熱交換器の上流側と下流側とを連通させる第２バイパス通路と、第２バイパス通路に配して前記熱交換器の上流側と下流側との間の差圧が所定値以上になると開く第２開閉弁と、第２開閉弁の開放を検知する第２検知部とを備えると好ましい。
【００２６】
また、本発明は上記構成の空気調和機において、第２バイパス通路の流路を絞る第２流路抵抗を第２開閉弁の下流に設けると好ましい。
【００２７】
また本発明は、吸込口及び吹出口を開口する筐体と、前記吸込口と前記吹出口とを連通させる空気通路と、前記空気通路内に配される送風機と、前記空気通路内に配される熱交換器と、前記空気通路に流入する空気に含まれる塵埃を捕集するとともに着脱可能なフィルタとを備えた空気調和機において、
前記フィルタの取り外し時に前記フィルタから脱落する塵埃を回収する袋状部材を保持可能な保持部を前記フィルタの近傍に設けたことを特徴としている。
【００２８】
また、本発明は上記構成の空気調和機において、前記フィルタが前記筐体の前面に配されるとともに、前記保持部が前記筐体上の前記フィルタの両側方に配して前記袋状部材を掛けるフックから成り、前記筐体上の前記フィルタよりも下方に配して前記袋状部材の前記筐体に対する離隔を規制する規制部を設けると好ましい。
【００２９】
また、本発明は上記構成の空気調和機において、前記フィルタが前記筐体の前面に配されるとともに、前記保持部が前記筐体の前面に沿って収納される位置と前記筐体の前方へ突出して前記袋状部材を保持する位置との間を回動可能に形成されると好ましい。
【００３０】
また、本発明は上記構成の空気調和機において、前記保持部は環状の枠体と、前記枠体に可動に支持されるとともに前記枠体に内嵌する位置に配置可能な可動部とを有し、前記枠体に掛止した前記袋状部材の周部を前記枠体及び前記可動部によって挟持すると好ましい。
【００３１】
また、本発明は上記構成の空気調和機において、前記フィルタを除塵する除塵部と、前記筐体に対して着脱可能に設けられるとともに前記除塵部により前記フィルタから除去された塵埃を集塵する集塵部とを備え、前記保持部に保持された前記袋状部材によって前記集塵部の取り外し時に前記集塵部から脱落する塵埃を回収すると好ましい。
【発明の効果】
【００３２】
本発明によると、把持部を把持した際に把持部が変位して集塵部のレバー部材と筐体との係合が解除されるとともに、把持部を把持した状態で集塵部が筐体に対して着脱される。これにより、使用者は把持部を把持するのみで集塵部を筐体から取り外すことができる。したがって、空気調和機の利便性を向上させることができる。
【００３３】
また本発明によると、除塵部をフィルタ上に配してフィルタを除塵する第１清掃モードと、フィルタ及び除塵部の一方を他方から退避して除塵体により当接部を清掃する第２清掃モードとを設けている。これにより、当接部に付着した塵埃を除塵体によって容易に除去することができる。したがって、空気調和機の清掃性を向上させることができる。
【００３４】
また本発明によると、フィルタを介さずにフィルタの上流側と下流側とを連通させる第１バイパス通路と、第１バイパス通路に配してフィルタの上流側と下流側との間の差圧が所定値以上になると開く第１開閉弁と、第１開閉弁の開放を検知する第１検知部とを備えている。これにより、フィルタの目詰まりがない状態において、フィルタを通過していない室内空気の空気通路への流入を防止することができる。また、フィルタの目詰まりによる第１開閉弁の開放が第１検知部により検知される。したがって、フィルタの目詰まりを容易に検知できるとともに空気通路の汚染や熱交換器の目詰まりを防止し、空気調和機の空気調和能力を向上させることができる。
【００３５】
また本発明によると、フィルタの取り外し時にフィルタから脱落する塵埃を回収する袋状部材を保持可能な保持部をフィルタの近傍に設けている。これにより、筐体からフィルタを取り外した際にフィルタから脱落した塵埃は袋状部材内に回収される。したがって、フィルタ上の塵埃の室内への飛散や床面への落下を防止することができ、空気調和機のメンテナンス性を向上させることができる。
【図面の簡単な説明】
【００３６】
【図１】本発明の第１実施形態の空気調和機を示す斜視図
【図２】本発明の第１実施形態の空気調和機を示す側面断面図
【図３】本発明の第１実施形態の空気調和機の空気通路の要部の概略を示した側面断面図
【図４】本発明の第１実施形態の空気調和機のフロントパネルを取り外した状態を示す斜視図
【図５】本発明の第１実施形態の空気調和機の集塵部を示す斜視図
【図６】本発明の第１実施形態の空気調和機の集塵部を示す分解斜視図
【図７】本発明の第１実施形態の空気調和機の集塵部を示す側面図であってレバー部材が係合部に係合している様子を示す図
【図８】本発明の第１実施形態の空気調和機の集塵部を示す側面図であってレバー部材と係合部との係合が解除されている様子を示す図
【図９】本発明の第１実施形態の空気調和機のフロントパネルを取り外してフック部により袋状部材を保持した様子を示す斜視図
【図１０】本発明の第１実施形態の空気調和機のフィルタ清掃装置の動作を示すフローチャート
【図１１】本発明の第２実施形態の空気調和機の空気通路の要部の概略を示した側面断面図
【図１２】本発明の第２実施形態の空気調和機のフロントパネルを取り外した状態を示す斜視図
【図１３】本発明の第２実施形態の空気調和機のフロントパネルを取り外して枠状部材により袋状部材を保持した様子を示す斜視図
【図１４】本発明の第２実施形態の空気調和機の枠状部材を示す斜視図
【図１５】本発明の第２実施形態の空気調和機の集塵部を示す側面図であってレバー部材が係合部に係合している様子を示す図
【図１６】本発明の第２実施形態の空気調和機の集塵部を示す側面図であってレバー部材と係合部との係合が解除されている様子を示す図
【図１７】本発明の第３実施形態の空気調和機の集塵部を示す側面図であってレバー部材が係合部に係合している様子を示す図
【図１８】本発明の第３実施形態の空気調和機の集塵部を示す側面図であってレバー部材と係合部との係合が解除されている様子を示す図
【発明を実施するための形態】
【００３７】
＜第１実施形態＞
以下に本発明の実施形態を図面を参照して説明する。図１及び図２は第１実施形態の空気調和機の斜視図及び側面断面図をそれぞれ示している。空気調和機１は室内の壁面に設置され、屋外に設置された室外機（不図示）に接続される室内機を構成する。
【００３８】
空気調和機１は室内の側壁Ｗに取り付けられる筐体２を備え、筐体２の前面を形成するフロントパネル３が筐体２に対して着脱可能に設けられる。筐体２は側面後部に設けられた爪部（不図示）を側壁Ｗの天井面Ｓに近い高さに取り付けられた取付板（不図示）に係合して支持される。
【００３９】
筐体２の上面には左右方向に延びる吸込口４が開口し、筐体２の前面下部にはフロントパネル３の下方に吹出口５が開口する。吹出口５は筐体２の左右方向に延びる略矩形に形成され、前方下方に臨んで設けられる。
【００４０】
筐体２の内部には吸込口４と吹出口５とを連通させる空気通路６が設けられる。空気通路６内には空気を送出する送風機７が配される。送風機７の駆動によって吸込口４から室内の空気が空気通路６に流入し、吹出口５から送出される。送風機７としてはクロスフローファンが好適に用いられるが、他の種類の送風機を用いてもよい。
【００４１】
空気通路６内の吸込口４と送風機７との間には熱交換器８が配される。熱交換器８は室外機に配した冷凍サイクルを運転する圧縮機（不図示）に接続され、空気通路６を流通する空気と熱交換を行う。これにより、空気調和機１の冷房運転時及び暖房運転時には吹出口５からそれぞれ冷気及び暖気が室内に送出される。熱交換器８の下方にはドレンパン９が設けられる。
【００４２】
空気通路６には送風機７と吹出口５との間にダクト状の吹出通路６３が形成される。吹出通路６３は上下面が上壁６３ａ及び下壁６３ｂにより形成され、左右面が送風機７を軸支する側壁（不図示）により形成される。また、上壁６３ａ及び下壁６３ｂは前方が下方に傾斜し、吹出通路６３は傾斜して気流を前方下方に案内する。
【００４３】
吹出通路６３内の吹出口５の近傍には縦ルーバー（不図示）及び横ルーバー４０が配される。縦ルーバーは筐体２の左右方向（幅方向）に複数並設され、上壁６３ａ及び下壁６３ｂに軸支して回動可能になっている。これにより、吹出口５から送出される気流の左右方向の風向を可変することができる。横ルーバー４０は上下方向に複数並設され、吹出通路６３の側壁に軸支して回動可能になっている。これにより、吹出口５から送出される気流の上下方向の風向を可変することができる。
【００４４】
吸込口４と熱交換器８との間には吸込口４に面して左右方向に延びたフィルタ１１が配される。フィルタ１１は筐体２の前面から上面にかけて配される。フィルタ１１は空気通路６に流入する空気中の塵埃を捕集する。フィルタ１１はＡＢＳ等の合成樹脂で形成された複数段複数列の窓部を有する矩形の枠（不図示）にポリプロピレン製のメッシュ（不図示）を溶着して形成される。枠の左右端部には筐体２に設けたピニオン（不図示）に噛合するラック（不図示）が形成される。
【００４５】
図３は空気調和機１の空気通路６の要部の概略を示した側面断面図である。矢印Ｓは冷房運転時または暖房運転時の気流を示している。空気通路６はフィルタ１１と送風機７との間から分岐してフィルタ１１を介さずにフィルタ１１の上流側と下流側とを連通させる第１バイパス通路６１を有する。第１バイパス通路６１には第１開閉弁３１、第１検知部４１及びニードルバルブ５１（第１流路抵抗）が設けられる。
【００４６】
第１開閉弁３１は逆止弁から成り、フィルタ１１の下流側から上流側への気流の流通を阻止し、第１開閉弁３１の両端の差圧に応じて開放してフィルタ１１の上流側から下流側に気流を流通させる。すなわち、フィルタ１１の上流側と下流側との間の差圧が第１開閉弁３１の作動圧以上になると第１開閉弁３１は開放される。第１検知部４１は例えば笛部から成る。第１開閉弁３１が開放されると気流が第１バイパス通路６１を流通して笛部を鳴らす。これにより、第１検知部４１は第１開閉弁３１の開放を容易に検知することができる。なお、第１検知部４１は例えばマスフローセンサから成ってもよい。
【００４７】
ニードルバルブ５１は第１開閉弁３１の下流に配され、第１バイパス通路６１を流通する気流の流路を絞る。これにより、第１開閉弁３１の上流側と下流側との間の差圧を可変することができる。したがって、フィルタ１１の目詰まりを検知する感度を容易に調整することができる。なお、ニードルバルブ５１に替えて、例えば多孔質体や細管を設けて気流の流路を絞ってもよい。
【００４８】
後述のように空気調和機１はフィルタ清掃装置１０を備えているが、空気調和機１の設置場所（例えば、台所のように油汚れが多い場所など）によってはフィルタ１１の目詰まりが生じる場合がある。
【００４９】
フィルタ１１が目詰まりしていない場合には、フィルタ１１の上流側と下流側との間の差圧が小さいため、第１開閉弁３１は閉じている。これにより、第１バイパス通路６１は閉じられるため、フィルタ１１を通過していない室内空気がフィルタ１１の下流の空気通路６を流通することを防止することができる。したがって、空気通路６の汚染や熱交換器８の目詰まりを防止して、空気調和機１の空気調和能力を向上させることができる。
【００５０】
フィルタ１１が目詰まりした場合には、フィルタ１１の上流側と下流側との間の差圧が大きくなる。そして、差圧が所定値以上になると第１開閉弁３１が開放される。第１開閉弁３１が開放されると気流が第１バイパス通路６１を流通して第１検知部４１の笛部を鳴らす。これにより、第１検知部４１はフィルタ１１の目詰まりを容易に検知することができる。
【００５１】
図４はフロントパネル３を取り外した空気調和機１の斜視図を示している。図２、図４において、フィルタ１１は左右方向に複数並設され、筐体２には各フィルタ１１に付着した塵埃を除去して回収する複数のフィルタ清掃装置１０が設けられる。フィルタ清掃装置１０はフィルタモータ（不図示）、除塵部及び集塵部２０を備えている。除塵部は回転ブラシ１３及び回転ブラシ２３により構成される。
【００５２】
フィルタモータはフィルタ１１の両側端に設けられたラック（不図示）に噛合するピニオン（不図示）を回転駆動し、フィルタ１１を移動させる。フィルタモータの駆動によりフィルタ１１は吸込口４に対向した捕集位置Ａと捕集位置Ａに対して上下が反転した反転位置Ｂとの間を往復移動する。この時、フィルタ１１は筐体２の上部に配されるガイドフレーム１２、集塵部２０に設けたフィルタガイド２１及びガイド部２９（図６参照）により案内される。
【００５３】
集塵部２０はガイドフレーム１２の下方に配置され、筐体２に対して着脱可能になっている。回転ブラシ２３は集塵部２０上に配され、第１モータ（不図示）により回転駆動される。回転ブラシ２３は左右方向に延びる回転軸部２３ａと、ナイロン製のブラシ毛２３ｂとを有する。ブラシ毛２３ｂは回転軸部２３ａの外周に直立し、複数列に装着される。ブラシ毛２３ｂは回転軸部２３ａの軸方向に沿って螺旋状に装着される。回転軸部２３ａの両端部にはギア２３ｃ（図５参照）が設けられ、回転ブラシ２３はギア２３ｃを介して連結される第１モータに対して着脱可能になっている。
【００５４】
回転ブラシ１３は筐体２に支持されて回転ブラシ２３の上方に近接対向し、第２モータ（不図示）により回転駆動される。回転ブラシ１３は左右方向に延びる回転軸部１３ａと、ナイロン製のブラシ毛（不図示）とを有する。ブラシ毛は回転軸部１３ａの外周に直立し、複数列に装着される。ブラシ毛の各列は直線状であり、軸方向（左右方向）に平行に並べられる。なお、ブラシ毛は回転軸部１３ａの軸方向に沿って螺旋状に装着してもよい。
【００５５】
第１モータはギア２３ｃを介して回転ブラシ２３を図２において反時計回りに回転させる。第２モータは回転軸部１３ａを介して回転ブラシ１３を図２において反時計回りに回転させる。この時、回転ブラシ１３と回転ブラシ２３との間の距離は回転ブラシ１３のブラシ毛の高さと回転ブラシ２３のブラシ毛２３ｂの高さとの合計よりも短い。このため、回転ブラシ２３及び回転ブラシ１３が回転すると、ブラシ毛とブラシ毛２３ｂとが衝突する。
【００５６】
なお、フィルタモータ、第１モータ及び第２モータの配置に特に限定はないが、例えばフィルタモータをフィルタ１１の一側方に配置するとともに第１モータ及び第２モータを他側方に配置すると好ましい。これにより、フィルタ１１の一側方に大きなスペースが偏ることを防止することができる。
【００５７】
筐体２内のフィルタ１１の近傍にはフィルタ１１の両側方にフック部７１（保持部）が複数設けられる。フック部７１は、フィルタ１１の着脱時にフィルタ１１から脱落する塵埃を回収する袋状部材８０（図９参照）を保持する。フィルタ１１及び集塵部２０よりも下方の筐体２には複数の規制部７２が所定間隔を有して左右方向に並設される。規制部７２はフック部７１に保持された袋状部材８０の開口部８０ｂ（図９参照）の周縁を係止し、袋状部材８０の筐体２に対する離隔を規制する。なお、フック部７１及び規制部７２の詳細については後述する。
【００５８】
図５は空気調和機１の集塵部２０の斜視図を示している。図６は集塵部２０の分解斜視図を示している。なお、図６では底面２２ｄ及び凹部２２ｂの図示を省略している。集塵部２０はフィルタガイド２１、容器部２２、把持部２４、連結部材２６及びガイド部２９を有する。
【００５９】
フィルタガイド２１の前面板２１ａの背面側には上下方向に延びた複数のリブ２１ｂが突設される。リブ２１ｂの背面は前方に凸となるように湾曲している。
【００６０】
容器部２２は上面が開口した箱形状を有し、上面をガイド部２９により覆われる。容器部２２の底面２２ｄには凹部２２ｂ（係合部）が設けられる。凹部２２ｂは底面２２ｄから容器部２２内に向かって凹んでいる。筐体２には凹部２２ｂに嵌合する凸部（係止部、不図示）が設けられる。ガイド部２９の上面には前後方向に延びる複数のリブ２９ａが左右方向に並設され、リブ２９ａ間に開口部２９ｂが開口する。リブ２９ａの背面側は下方が凸になるように湾曲している。フィルタガイド２１のリブ２１ｂ及びガイド部２９のリブ２９ａにより、フィルタ１１を捕集位置Ａ（図２参照）から反転位置Ｂ（図２参照）に円滑に案内することができる。
【００６１】
ガイド部２９の両側面の下端及び容器部２２の両側面の上端にはそれぞれ円弧状の軸受部２９ｃ、２２ｃが設けられる。軸受部２９ｃ、２２ｃにより回転ブラシ２３の回転軸部２３ａが支持される。回転ブラシ２３のブラシ毛２３ｂは開口部２９ｂを介してガイド部２９の上方に突出する。このため、捕集位置Ａと反転位置Ｂとの間を往復するフィルタ１１に回転ブラシ２３のブラシ毛２３ｂが摺動する。
【００６２】
この時、リブ２１ｂ及びリブ２９ａはフィルタ１１に設けられる格子状の枠に対向する。このため、フィルタ１１のメッシュ部分にブラシ毛２３ｂを確実に摺動させることができる。
【００６３】
また、フィルタ１１を回転ブラシ２３上から退避させると、回転ブラシ２３と回転ブラシ１３とが摺動する。回転ブラシ２３との摺動によりフィルタ１１や回転ブラシ１３から脱落した塵埃は容器部２２内に溜められる。
【００６４】
容器部２２の中央部の前面上部には把持部２４が設けられ、底面には把持部２４に対向する凹部２２ａが設けられる。把持部２４の両側方には連結部材２６が一体に形成される。連結部材２６は把持部２４から左右方向に延びる一対の棒状部２６ａと、棒状部２６ａの端部から上方に延びる第１アーム部２６ｃとを有している。棒状部２６ａの先端の軸部２６ｂは容器部２２の側面に設けた軸孔（不図示）に嵌合し、把持部２４及び連結部材２６が容器部２２に軸支される。これにより、把持部２４と凹部２２ａに手指を掛けて集塵部２０を把持した際に把持部２４が連結部材２６と一体に回動して変位する。
【００６５】
レバー部材２５はフィルタガイド２１の両側面上にそれぞれ設けられ、軸部２５ａによりフィルタガイド２１に軸支して水平軸で回動可能に配される。レバー部材２５の先端には上方に突出する係合爪２５ｂが設けられ、係合爪２５ｂは筐体２に設けた水平方向に延びる係合部２ａ（図７参照）に係合可能になっている。
【００６６】
レバー部材２５には軸部２５ａから下方に延びる第２アーム部２８が設けられる。第２アーム部２８は第１アーム部２６ｃに係合し、把持部２４の把持した際の変位によってレバー部材２５が連結部材２６を介して回動する。これにより、係合爪２５ｂと係合部２ａ（図７参照）との係合を解除することができる。
【００６７】
把持部２４は例えば赤色に着色され、フィルタガイド２１の前面板２１ａは把持部２４と異なる色に着色される。また、容器部２２の前面は無色又は把持部２４と異なる色の透明に形成される。これにより、使用者は把持部２４を容易に認識することができる。また、目視により容器部２２内の塵埃量を容易に把握することができる。
【００６８】
また、連結部材２６の材質は容器部２２の側面及び第２アーム部２８の材質と異なっている。例えば、棒状部２６ａ及び第１アーム部２６ｃは軟質樹脂により形成されるとともに容器部２２の側面及び第２アーム部２８は硬質樹脂により形成される。
【００６９】
図７及び図８は集塵部２０の側面図を示している。図７に示すように、レバー部材２５の係合爪２５ｂが係合部２ａに係合している際には付勢部材（不図示）により第１アーム部２６ｃは上方へ行くほどが後方になるように傾斜し、第２アーム部２８は下方へ行くほどが後方になるに傾斜している。すなわち、レバー部材２５は付勢部材により係合部２ａに係合する方向に付勢される。
【００７０】
使用者が把持部２４と凹部２２ａに手指を掛けて集塵部２０を把持すると、把持部２４が下方へ移動する。この時、図７の状態から第１アーム部２６ｃは上部が前方へ回動するとともに、第２アーム部２８の下部が前方へ回動する。これにより、図８に示すように、レバー部材２５は下方へ回動し、レバー部材２５の係合爪２５ｂと係合部２ａとの係合が解除される。そして、使用者が把持部２４と凹部２２ａに手指を掛けて集塵部２０を把持した状態で集塵部２０を前方へ引き出すことにより筐体２に対して回転ブラシ２３と一体に集塵部２０を取り外すことができる。
【００７１】
その後に、回転ブラシ２３を集塵部２０から取り外し、容器部２２の上面を下にして容器部２２内の塵埃を廃棄することができる。塵埃の廃棄後に、回転ブラシ２３を集塵部２０に取り付ける。そして、使用者が把持部２４と凹部２２ａに手指を掛けて集塵部２０を把持した状態で筐体２内に集塵部２０を収納し、把持部２４及び凹部２２ａから手指を離すと付勢力によりレバー部材２５が上方に回動する。これにより、図７に示すように、レバー部材２５の係合爪２５ｂが係合部２ａに係合して集塵部２０は筐体２に取り付けられる。
【００７２】
また、フロントパネル３の背面に後方へ突出する突出部を設け、フロントパネル３を筐体２に取り付けた際に突出部がレバー部材２５の下面に近接するように構成してもよい。これにより、空気調和機１の運搬時や運転時等の振動によるレバー部材２５の係合爪２５ｂと係合部２ａとの係合解除を防止することができる。
【００７３】
図９はフック部７１により袋状部材８０を保持した様子を示す斜視図である。なお、図示の煩雑を避けるため、ここでは袋状部材８０を一点鎖線で示している。フック部７１は筐体２の一部を切り欠いて先端部が上方となるフック形状を有する。これにより、袋状部材８０の把持部８０ａをフック部７１に引っ掛けることができる。
【００７４】
規制部７２はフィルタ１１よりも下方で筐体２に固設され、筐体２の前方に突出して下方に屈曲している。これにより、袋状部材８０の把持部８０ａをフック部７１に引っ掛けた際に、袋状部材８０の開口部８０ｂの周縁を規制部７２に係止することができる。したがって、規制部７２は袋状部材８０の筐体２に対する離隔を規制することができる。なお、規制部７２を前後方向にスライド可能に構成し、規制部７２と筐体２とにより袋状部材８０の開口部８０ｂの周縁を挟持してもよい。
【００７５】
フィルタ１１や集塵部２０を筐体２から取り外す際に、フロントパネル３を取り外して袋状部材８０の把持部８０ａをフック部７１に引っ掛ける。この時、袋状部材８０の開口部８０ｂはフィルタ１１及び集塵部２０の下方に配される。その後に、フィルタ１１や集塵部２０を筐体２から取り外す。この時、フィルタ１１に付着した塵埃や容器部２２に溜まった塵埃が落下しても袋状部材８０に回収される。これにより、フィルタ１１や集塵部２０を筐体２から取り外した際に、塵埃等の室内への飛散や床面への落下を防止することができる。したがって、簡単な構成で空気調和機１のメンテナンス性を向上させることができる。
【００７６】
また、袋状部材８０の開口部８０ｂの周縁は規制部７２に係止される。これにより、開口部８０ｂと筐体２との間の隙間を小さくすることができる。したがって、フィルタ１１から脱落した塵埃や容器部２２から落下した塵埃を確実に袋状部材８０に回収でき、塵埃等の室内への飛散や床面への落下を一層確実に防止することができる。
【００７７】
なお、フック部７１に替えて、筐体２に対して着脱可能なフック部材を設け、フック部材により袋状部材８０を保持してもよい。例えば、フック部材を使用しない場合にはフロントパネル３の背面（裏面）に取り付けて収納し、使用時にはフロントパネル３から取り外して筐体２に設けた穴部にフック部材を差し込む。この時、穴部を上下方向に複数設けると、フック部材の高さ位置を変えることができる。
【００７８】
また、フック部７１に替えて、筐体２の前面に沿って収納される位置と筐体２の前方へ突出する位置との間を回動可能な棒状のフック部材を設け、このフック部材により袋状部材８０を保持してもよい。
【００７９】
また、フック部７１に替えて、使用者の手指が進入できる程度の孔部を筐体２に設け、放射状に切込みの入った菊割れゴムを孔部の開口面に設けてもよい。これにより、把持部８０ａを有しない袋状部材の開口部周縁を手指で孔部に押し込んで菊割れゴムにより袋状部材を保持することができる。また、フック部７１に替えて、着磁した金属板と磁性の金属板とを筐体２に設け、両金属板により袋状部材８０を挟持してもよい。
【００８０】
図１０はフィルタ清掃装置１０の動作を示すフローチャートである。空気調和機１の冷房運転または暖房運転の開始時または停止時にフィルタ１１上及び回転ブラシ１３上の塵埃を除去する清掃処理が実行される。ステップ＃１では第１モータ及び第２モータが駆動される。これにより、回転ブラシ２３及び回転ブラシ１３が図２において反時計回りに回転する。ステップ＃２ではフィルタモータが駆動され、フィルタ１１のラックに噛合するピニオンが回転する。これにより、フィルタ１１は塵埃を捕集する捕集位置Ａ（図２参照）から下方へスライド移動し始める。
【００８１】
捕集位置Ａから下方に移動してきたフィルタ１１は、集塵部２０のフィルタガイド２１のリブ２１ｂ及びガイド部２９のリブ２９ａにより下端が後方へ向けられ、回転ブラシ２３と回転ブラシ１３との間に進入する。そして、回転ブラシ２３はフィルタ１１の吸気面に付着した塵埃をブラシ毛２３ｂにより除去する。
【００８２】
この時、フィルタ１１の吸気面上に付着した塵埃は回転ブラシ２３によりフィルタ１１の排気面側に押し出される。フィルタ１１の排気面側に押し出された塵埃は回転ブラシ１３のブラシ毛によりフィルタ１１の吸気面側に押し戻される。これにより、フィルタ１１を除塵する第１清掃モードが実行される。そして、フィルタ１１から除去された塵埃は容器部２２内に溜められる。
【００８３】
ステップ＃３では、フィルタ１１の反転位置Ｂへの到達がセンサにより検知されるまで待機する。フィルタ１１が捕集位置Ａから下方に移動し、回転ブラシ２３と回転ブラシ１３との間を通過した後に図２において一点鎖線で示す反転位置Ｂに到達すると、ステップ＃４に移行する。
【００８４】
ステップ＃４では、フィルタモータが逆回転してフィルタ１１は反転位置Ｂから再び回転ブラシ２３と回転ブラシ１３との間を通過して捕集位置Ａに向かう。ステップ＃５では、フィルタ１１の捕集位置Ａへの到達がセンサにより検知されるまで待機する。フィルタ１１が捕集位置Ａに戻ると、ステップ＃６に移行し、フィルタモータが停止される。これにより、第１清掃モードが終了する。
【００８５】
第１清掃モードにおいて、フィルタ１１は捕集位置Ａと反転位置Ｂとの間を一往復し、その所要時間は約５分間となっている。このため、センサを設けずに、ステップ＃３〜＃５に替えて所定時間が経過した後にフィルタモータの反転や停止を行ってもよい。
【００８６】
ステップ＃７では第１清掃モードの実行頻度が所定の上限頻度以上か否かが判断される。上限頻度は例えば２０回／月に設定される。上限頻度以上の場合にはステップ＃８に移行し、上限頻度未満の場合にはステップ＃９に移行する。
【００８７】
ステップ＃８では所定時間（例えば５分間）が経過するまで待機する。これにより、第２清掃モードが実行され、回転ブラシ１３に付着した塵埃が回転ブラシ２３により除去される。この時、フィルタ１１は捕集位置Ａに配置されるため、回転ブラシ２３と回転ブラシ１３との間にはフィルタ１１は配置されていない。すなわち、フィルタ１１は回転ブラシ１３及び回転ブラシ２３から退避している。
【００８８】
回転ブラシ１３から除去された塵埃は容器部２２内に溜められる。所定時間が経過するとステップ＃９に移行する。ステップ＃９では第１モータ及び第２モータが停止されて第２清掃モードが終了し、清掃処理が終了する。なお、使用者の指示により清掃処理を実行してもよい。
【００８９】
本実施形態によると、把持部２４が下方へ移動（変位）してレバー部材２５と筐体２の係合部２ａとの係合が解除される。また、把持部２４を把持した状態で集塵部２０が筐体２に対して着脱される。これにより、使用者は把持部２４を把持するのみで集塵部２０を筐体２から取り外すことができる。また、使用者は片手で筐体２に対して集塵部２０を着脱することができる。したがって、空気調和機１の利便性を向上させることができる。
【００９０】
また、容器部２２が左右方向に延びて設けられるとともに、把持部２４を容器部２２の左右方向の中央部に配してレバー部材２５をフィルタガイド２１の側面上に配し、把持部２４の側方に延びた連結部材２６を介して把持部２４とレバー部材２５とを連結している。これにより、集塵部２０を筐体２に対して容易に着脱することができる。
【００９１】
また、連結部材２６は、把持部２４と一体に形成して把持部２４の両側方に延びるとともに端部が容器部２２の側面に軸支される棒状部２６ａと、棒状部２６ａの端部から上方に延びる第１アーム部２６ｃとを有し、容器部２２の側面に軸支したレバー部材２５が第１アーム部２６ｃに係合する第２アーム部２８を有する。これにより、簡素な構成で集塵部２０を筐体２に対して容易に着脱することができる。
【００９２】
また、連結部材２６の材質が容器部２２の側面及び第２アーム部２８の材質と異なる。これにより、棒状部２６ａと容器部２２の側面との間や第１アーム部２６ｃと第２アーム部２８との間に発生する摩擦音を低減することができる。また、棒状部２６ａ、第１アーム部２６ｃ、第２アーム部２８及び容器部２２の摩耗を低減することができる。
【００９３】
また、レバー部材２５を集塵部２０の上部に配し、筐体２に設けられた凸部（係止部）が嵌合する凹部２２ｂ（係合部）を集塵部２０の底面２２ｄに設けている。これにより、筐体２内において集塵部２０を上下で保持することができる。したがって、フィルタ清掃装置１０の作動時の振動等による集塵部２０の位置ズレを防止することができる。なお、凹部２２ｂに替えて、集塵部２０の底面２２ｄに筐体２の凹部に嵌合する凸部を設けてもよい。また、集塵部２０の底面２２ｄ及び筐体２に樹脂から成るフック部材を設け、両フック部材が弾性変形により係合または係合解除されるようにしてもよい。
【００９４】
また、把持部２４の色が容器部２２の前面の色と異なるため、使用者は把持部２４を容易に認識することができる。したがって、筐体２に対する集塵部２０の着脱を円滑に行うことができ、空気調和機１の利便性を一層向上させることができる。
【００９５】
また、回転ブラシ１３（当接部）及び回転ブラシ２３（除塵体）をフィルタ１１上に配してフィルタ１１を除塵する第１清掃モードと、フィルタ１１を回転ブラシ１３及び回転ブラシ２３から退避して回転ブラシ２３により回転ブラシ１３を清掃する第２清掃モードとを有する。これにより、第１清掃モードによりフィルタ１１に付着した塵埃を除去することができる。また、第２清掃モードにより回転ブラシ１３に付着した塵埃を容易に除去して、回転ブラシ１３上の塵埃のフィルタ１１への再付着を防止することができる。したがって、空気調和機１の清掃性を向上させることができる。
【００９６】
また、第１清掃モード時に回転ブラシ２３及び回転ブラシ１３を回転させるとともにフィルタ１１が回転ブラシ２３と回転ブラシ１３との間をスライド移動し、第２清掃モード時にフィルタ１１を停止して回転ブラシ２３及び回転ブラシ１３を回転させる。これにより、簡単な構成で第１、第２清掃モードを容易に実行することができる。
【００９７】
また、第１清掃モードの実行頻度が所定の上限頻度を超えた場合に第２清掃モードを行うため、回転ブラシ１３への塵埃の蓄積を低減することができる。
【００９８】
なお、回転ブラシ２３に替えて、筐体２の左右方向に延びる回転軸部の周方向に所定間隔を有して複数条のブレード片を設けた回転ブレードを備えてもよい。この場合、ブレード片を薄肉の弾性部材（例えばゴム板）により形成し、回転軸部の軸方向に沿って螺旋状に曲成してもよい。
【００９９】
また、空気通路６はフィルタ１１を介さずにフィルタ１１の上流側と下流側とを連通させる第１バイパス通路６１を有し、第１バイパス通路６１に配してフィルタ１１の上流側と下流側との間の差圧が所定値以上になると開く第１開閉弁３１と、第１開閉弁３１の開放を検知する第１検知部４１とを備えている。これにより、フィルタ１１の目詰まりがない状態において、フィルタ１１を通過していない室内空気の空気通路６への流入を防止することができる。また、フィルタ１１の目詰まりによる第１開放弁３１の開放が第１検知部４１により検知される。したがって、フィルタ１１の目詰まりを容易に検知できるとともに空気通路６の汚染や熱交換器８の目詰まりを防止し、空気調和機１の空気調和能力を向上させることができる。
【０１００】
また、第１バイパス通路６１の流路を絞るニードルバルブ５１（第１流路抵抗）を第１開閉弁３１の下流に設けているため、第１開閉弁３１の上流側と下流側との間の差圧を可変することができる。これにより、フィルタ１１の目詰まりを検知する感度を容易に調整することができる。
【０１０１】
なお、第１バイパス通路６１、第１開閉弁３１、第１検知部４１及びニードルバルブ５１をフィルタ清掃装置１０を備えない空気調和機に設けてもよい。
【０１０２】
また、フィルタ１１の取り外し時にフィルタ１１から脱落する塵埃を回収する袋状部材８０を保持可能なフック部７１（保持部）をフィルタ１１の近傍に設けている。これにより、フィルタ１１を筐体２から取り外した際にフィルタ１１から脱落した塵埃の室内への飛散や床面への落下を防止することができる。したがって、空気調和機１のメンテナンス性を向上させることができる。
【０１０３】
また、筐体２上のフィルタ１１よりも下方に配して袋状部材８０の筐体２に対する離隔を規制する規制部７２を設けている。これにより、袋状部材８０の開口部８０ｂと筐体２との間の隙間を小さくすることができる。したがって、フィルタ１１から脱落した塵埃を確実に袋状部材８０に回収でき、塵埃の室内への飛散や床面への落下を一層確実に防止することができる。
【０１０４】
なお、フック部７１をフィルタ清掃装置１０を備えない空気調和機に設けてもよい。
【０１０５】
また本実施形態では、第１清掃モード時及び第２清掃モード時に回転ブラシ２３を回転させているが、停止させてもよい。この場合でも、回転ブラシ２３のブラシ毛２３ｂは第１清掃モード時にフィルタ１１に摺動し、第２清掃モード時に回転ブラシ１３のブラシ毛に衝突する。
【０１０６】
＜第２実施形態＞
次に、本発明の第２実施形態について説明する。図１１は本実施形態の空気調和機の空気通路を模式的に示した模式図である。説明の便宜上、前述の図１〜図１０に示す第１実施形態と同様の部分には同一の符号を付している。本実施形態では第１バイパス通路６１に加え、第２バイパス通路６２を備えている点で第１実施形態とは異なっている。
【０１０７】
空気通路６は熱交換器８と送風機７との間から分岐して熱交換器８を介さずに熱交換器８の上流側と下流側とを連通させる第２バイパス通路６２を有する。第２バイパス通路６２には第２開閉弁３２、第２検知部４２及びニードルバルブ５２（第２流路抵抗）が設けられる。第２開閉弁３２は熱交換器８の下流側から上流側への気流の流通を阻止し、第２開閉弁３２の両端の差圧に応じて開放して熱交換器８の上流側から下流側に気流を流通させる。すなわち、熱交換器８の上流側と下流側との間の差圧が第２開閉弁３２の作動圧以上になると第２開閉弁３２は開放される。なお、第２検知部４２及びニードルバルブ５２は第１実施形態のそれぞれ第１検知部４１及びニードルバルブ５１と同様に構成される。
【０１０８】
熱交換器８が目詰まりしていない場合には、熱交換器８の上流側と下流側との間の差圧が小さいため、第２開閉弁３２は閉じている。これにより、第２バイパス通路６２が閉じられるため、熱交換器８を通過していない空気が吹出口５から室内に送出されることを防止することができる。したがって、熱交換されない空気の室内への送出を防止し、空気調和機１の空気調和能力を向上させることができる。
【０１０９】
熱交換器８が目詰まりした場合には、熱交換器８の上流側と下流側との間の差圧が大きくなる。そして、差圧が所定値以上になると第２開閉弁３２が開放される。第２開閉弁３２が開放されると気流が第２バイパス通路６２を流通して第２検知部４２の笛部を鳴らす。これにより、第２検知部４２は熱交換器８の目詰まりを容易に検知することができる。
【０１１０】
ニードルバルブ５２は第２開閉弁３２の下流に配され、第２バイパス通路６２を流通する気流の流路を絞る。これにより、第２開閉弁３２の上流側と下流側との間の差圧を可変することができる。したがって、熱交換器８の目詰まりを検知する感度を容易に調整することができる。
【０１１１】
図１２及び図１３は本実施形態の空気調和機１のフロントパネル３を取り外した状態を示す斜視図である。本実施形態では第１実施形態のフック部７１に替えて枠状部材７３（枠体）を備えている点で第１実施形態とは異なっている。図１２に示すように、筐体２内には中央部が開口した環状の枠状部材７３が筐体２の前面に沿って配されて収納される。枠状部材７３は下端が筐体２の下部に軸支される。使用者が枠状部材７３の上端部を把持して下方へ回動させると、図１３に示すように枠状部材７３が筐体２の前方へ突出した位置に配される。すなわち、枠状部材７３は筐体２の前面に沿って収納される位置と筐体２の前方へ突出する位置との間を回動することができる。
【０１１２】
図１４は枠状部材７３の斜視図を示している。枠状部材７３は平面形状が矩形に形成され、例えばＡＢＳ等の合成樹脂により形成される。なお、枠状部材７３の平面形状は矩形に限定されず、例えば円形や楕円形でもよい。枠状部材７３の内側には回動部材７４（可動部）が設けられる。回動部材７４は枠状部材７３に内嵌する位置に配置可能なコ字状に形成され、コ字の開口部端の軸部７４ａで枠状部材７３の左右方向中央部に軸支される。これにより、回動部材７４は枠状部材７３内に収納された位置と枠状部材７３から突出した位置との間を回動することができる。また、回動部材７４は回動範囲内の任意の位置で停止できるように構成されている。
【０１１３】
フロントパネル３を取り外して筐体２内に収納された枠状部材７３を回動させ、図１３に示すように枠状部材７３を筐体２から前方へ突出して配する。そして、袋状部材８０の開口部８０ｂの周部を枠状部材７３に掛止し、袋状部材８０を枠状部材７３の開口部内に配置する。この時、回動部材７４と枠状部材７３とにより袋状部材８０の開口部８０ｂの周部を挟持する。これにより、袋状部材８０は枠状部材７３に保持される。
【０１１４】
その後に、フィルタ１１や集塵部２０を筐体２から取り外し、フィルタ１１の交換及び清掃や容器部２２内の塵埃の廃棄を行う。この時、フィルタ１１に付着した塵埃や容器部２２に溜まった塵埃が脱落しても袋状部材８０内に回収される。これにより、フィルタ１１や集塵部２０を筐体２から取り外した際に、塵埃の室内への飛散や床面への落下を防止することができる。したがって、空気調和機１のメンテナンス性を向上させることができる。
【０１１５】
図１５及び図１６は本実施形態の空気調和機１の集塵部２０の側面図を示している。図１５はレバー部材２５の係合爪２５ｂが筐体２の係合部２ａに係合している様子を示し、図１６はレバー部材２５の係合爪２５ｂと係合部２ａとの係合が解除されている様子を示している。本実施形態ではレバー部材２５の配置及びレバー部材２５と把持部２４との連結方法が第１実施形態と異なっている。
【０１１６】
本実施形態では、第１実施形態の棒状部２６ａ、第１アーム部２６ｃ及び第２アーム部２８を省いて、把持部２４とレバー部材２５とをワイヤから成る連結部材（不図示）で連結している。図１５に示すように、レバー部材２５は係合部２ａの上方から係合している。これにより、空気調和機１の運転時等に振動が生じた場合でも第１実施形態よりもレバー部材２５の係合爪２５ｂは係合部２ａから外れにくくなる。したがって、集塵部２０の筐体２への取付け不良によるフィルタ清掃装置１０の動作不良を防止することができる。
また、把持部２４と凹部２２ａに手指を掛けて集塵部２０を把持すると、下方へ移動する把持部２４により連結部材が下方へ引っ張られ、図１６に示すようにレバー部材２５は上方へ回動する。これにより、レバー部材２５の係合爪２５ｂと係合部２ａとの係合が解除され、使用者は集塵部２０を筐体２から取り外すことができる。
【０１１７】
なお、本実施形態のその他の部分は第１実施形態と同様である。
【０１１８】
本実施形態によると、第１実施形態と同様の効果を得ることができる。また、熱交換器８を介さずに熱交換器８の上流側と下流側とを連通させる第２バイパス通路６２と、第２バイパス通路に配して熱交換器８の上流側と下流側との間の差圧が所定値以上になると開く第２開閉弁３２と、第２開閉弁３２の開放を検知する第２検知部４２とを備えている。これにより、熱交換器８が目詰まりすると第２開閉弁３２が開き、第２検知部４２により検知される。したがって、熱交換器８の目詰まりを容易に検知することができる。
【０１１９】
また、枠状部材７３（保持部）が筐体２の前面に沿って収納される位置と筐体２の前方へ突出して袋状部材８０を保持する位置との間を回動可能に形成される。これにより、枠状部材７３を容易に収納することができるとともに容易に使用位置に配することができる。
【０１２０】
また、枠状部材７３に可動に支持されるとともに枠状部材７３に内嵌する位置に配置可能な回動部材７４（可動部）とを有し、枠状部材７３に掛止した袋状部材８０の周部を枠状部材７３及び可動部材７４によって挟持する。これにより、袋状部材８０の開口部８０ｂを確実に開くことができる。したがって、フィルタ１１から脱落した塵埃の室内への飛散を一層容易に防止することができる。
【０１２１】
なお、本実施形態において、枠状部材７３を筐体２に対して着脱可能に構成にしてもよい。また、第２バイパス通路６２や枠状部材７３をフィルタ清掃装置１０を備えない空気調和機に設けてもよい。
【０１２２】
また、吸込口４がフロントパネル３に開口する空気調和機に枠状部材７３を設けてもよい。この場合、吸込口４に設けられる桟と枠状部材７３の枠部分とが重なるように枠状部材７３を筐体２に収納すると好ましい。これにより、枠材部材７３による吸込口４近傍の空気の流通阻害を低減することができる。
【０１２３】
＜第３実施形態＞
次に、図１７及び図１８は本発明の第３実施形態の空気調和機１の集塵部２０の側面図を示している。説明の便宜上、前述の図１〜図１０に示す第１実施形態と同様の部分には同一の符号を付している。本実施形態ではレバー部材２５、第１アーム部２６ｃ及び第２アーム部２８の配置が第１実施形態とは異なっている。その他の部分は第１実施形態と同様である。
【０１２４】
第１アーム部２６ｃは棒状部２６ａの端部から下方に延びている。レバー部材２５は容器部２２の側面下部に軸支される。また、第１アーム部２６ｃ及び第２アーム部２８は容器部２２の外側面に沿って配される。これにより、容器部２２内の塵埃による第１アーム部２６ｃ及び第２アーム部２８の回動不良を防止することができる。図１７に示すように、レバー部材２５は係合部２ａの下方から係合している。把持部２４と凹部２２ａに手指を掛けて集塵部２０を把持すると、図１８に示すようにレバー部材２５は下方へ回動する。これにより、レバー部材２５の係合爪２５ｂと係合部２ａとの係合が解除され、使用者は集塵部２０を筐体２から取り外すことができる。
【０１２５】
本実施形態によると、第１実施形態と同様の効果を得ることができる。また、第１アーム部２６ｃ及び第２アーム部２８を容器部２２に配置し、フィルタガイド２１には配置しないため、移動するフィルタ１１は第１アーム部２６ｃ及び第２アーム部２８と干渉することがない。
【０１２６】
なお、第３実施形態において、第２実施形態の第２バイパス通路６２や枠状部材７３を備えてもよい。
【０１２７】
また、第１〜第３実施形態ではフィルタ１１を移動させているが、フィルタ１１を移動させずに回転ブラシ２３及び回転ブラシ１３を移動させてもよい。すなわち、回転ブラシ２３及び回転ブラシ１３はフィルタ１１に対して相対移動すればよい。この場合、第２清掃モード時に除塵部をフィルタ１１から退避させればよい。
【０１２８】
以上、本発明の実施形態について説明したが、本発明の範囲はこれに限定されるものではなく、発明の主旨を逸脱しない範囲で種々の変更を加えて実施することができる。また、本発明の実施形態のうちいくつか又はすべてを組み合わせて用いてもよい。
【産業上の利用可能性】
【０１２９】
本発明によると、空気中の塵埃を捕集するフィルタを備えた空気調和機に利用することができる。
【符号の説明】
【０１３０】
１        空気調和機
２        筐体
３        フロントパネル
４        吸込口
５        吹出口
６        空気通路
７        送風機
８        熱交換器
９        ドレンパン
１０      フィルタ清掃装置
１１      フィルタ
１２      ガイドフレーム
１３      回転ブラシ（除塵体）
２０      集塵部
２１      フィルタガイド
２２      容器部
２２ａ    凹部
２３      回転ブラシ（当接部）
２３ａ    回転軸部
２４      把持部
２５      レバー部材
２６      連結部材
２６ａ    棒状部
２６ｂ    軸部
２６ｃ    第１アーム部
２８      第２アーム部
２９      ガイド部
３１      第１開閉弁
３２      第２開閉弁
４１      第１検知部
４２      第２検知部
５１      ニードルバルブ（第１流路抵抗）
５２      ニードルバルブ（第２流路抵抗）
６１      第１バイパス通路
６２      第２バイパス通路
６３      吹出通路
７１      フック部（保持部）
７２      規制部
７３      枠状部材（保持部）
７４      回動部材（可動部）
８０      袋状部材
８０ａ    把持部
【図１】
2015163826.tif 000003
【図２】
2015163826.tif 000004
【図３】
2015163826.tif 000005
【図４】
2015163826.tif 000006
【図５】
2015163826.tif 000007
【図６】
2015163826.tif 000008
【図７】
2015163826.tif 000009
【図８】
2015163826.tif 000010
【図９】
2015163826.tif 000011
【図１０】
2015163826.tif 000012
【図１１】
2015163826.tif 000013
【図１２】
2015163826.tif 000014
【図１３】
2015163826.tif 000015
【図１４】
2015163826.tif 000016
【図１５】
2015163826.tif 000017
【図１６】
2015163826.tif 000018
【図１７】
2015163826.tif 000019
【図１８】
2015163826.tif 000020